(57)【要約】【課題】遊技者の強打に起因するリング部材の回転不良を防止できる遊技機を提供する。【解決手段】可動演出ユニット１６は、遊技者によって押圧操作される押圧ボタン２８と、この押圧ボタン２８の周囲に配置された回転可能な外装リング体２７（上部リング３３と下部リング３４）と、外装リング体２７と一体的に回転する回転筒体３０と、外装リング体２７の駆動源であるモータ３２等を備えており、回転筒体３０に設けられたギア３０ａと噛合するボス付きの平歯車３１をモータ３２の回転軸３２ａにイモネジ４９を用いて固定すると共に、支持体であるカバー２６の内底面に平歯車３１の下面と間隔Ｇを存して対向する尖鋭状の突起２６ｃが設けてある。そして、押圧ボタン２８を強打したときの衝撃等によってイモネジ４９が緩んだとしても、回転軸３２ａに沿って落下する平歯車３１の下面を突起２６ｃで受け止めて位置規制できるようになっている。【選択図】図６
2014171728.tif 000002
【特許請求の範囲】
【請求項１】
遊技者によって押圧操作される押圧ボタンと、この押圧ボタンの周囲に配置された回転可能なリング部材と、このリング部材に設けられたギアに噛合するボス付きの平歯車と、この平歯車を回転駆動するモータとを備え、遊技の抽選結果に係る演出内容に応じて前記モータを動作させるようにした遊技機において、
前記モータをその回転軸が鉛直方向の下側を向くように支持体に取り付け、この回転軸を前記平歯車の取付孔に嵌挿してスプライン結合すると共に、前記ボスに螺合したネジによって前記平歯車を前記回転軸に固定し、
前記支持体に前記平歯車の下面と間隔を存して対向する尖鋭状の突起を設け、前記ネジの緩みによって前記平歯車が前記回転軸に沿って落下したとき、前記平歯車の下面を前記突起に当接させて前記ギアと前記平歯車の噛合状態を維持するようにしたことを特徴とする遊技機。
【請求項２】
請求項１の記載において、前記支持体が、前記リング部材を回転可能に支持するケース本体と、このケース本体に一体化されて収納空間を画成するカバーとを有し、前記モータと前記平歯車が前記収納空間の内部に収納されていると共に、前記突起が前記カバーの内底面に設けられていることを特徴とする遊技機。
【請求項３】
請求項２の記載において、前記リング部材が、前記ケース本体から露出して前記押圧ボタンを支持する外装リング体と、前記カバーの内底面に載置されて外周面に前記ギアを有する回転筒体と、前記外装リング体と前記回転筒体を連結する伝達軸とによって構成されており、前記伝達軸が前記ケース本体に回転可能かつ上下動可能に支持されていると共に、前記収納空間の内部で前記伝達軸の下端部が前記回転筒体にスプライン結合されていることを特徴とする遊技機。
【請求項４】
請求項１〜３のいずれか１項の記載において、前記突起が前記回転軸を中心として円環状に形成されていることを特徴とする遊技機。
【発明の詳細な説明】
【技術分野】
【０００１】
本発明は、パチンコ機やスロットマシン等の遊技機に係り、特に、特定の演出内容に連動して回転動作するリング部材等を備えた可動演出ユニットの改良に関するものである。
【背景技術】
【０００２】
パチンコ機に代表される遊技機の中には、遊技盤の遊技領域に可変表示装置や始動入賞口やアタッカ装置等を設け、遊技領域に向けて発射された遊技球が始動入賞口に入賞したことを契機に電子抽選を行い、その抽選結果に基づいて可変表示装置が図柄の変動表示および変動停止を行うようにした機種が数多く存在する。電子抽選の抽選結果には当たりとハズレがあり、抽選結果が当たりの場合には、可変表示装置の表示画面に特定の図柄が表示され、通常モードから特別遊技モードへと移行する。この特別遊技モードでは、アタッカ装置の開閉扉が開放動作して大入賞口を露呈させるので、露呈した大入賞口に遊技球が入りやすくなって遊技者は多くの賞球を獲得できるようになる。
【０００３】
従来より、この種のパチンコ機において、押圧ボタンやリング部材等を備えた可動演出ユニットを機器本体の前面の所定位置、例えば遊技球を収納する受皿の周囲に配設し、電子抽選の抽選結果に基づいて可変表示装置で特定の表示演出を行う際に、遊技者に対して可動演出ユニットの操作を促すことにより、遊技者を演出に参加させて遊技の興趣性を高めるようにしたものが知られている（例えば、特許文献１参照）。
【０００４】
特許文献１に開示された可動演出ユニットは、遊技者によって押圧操作される押圧ボタンと、この押圧ボタンの周囲に配置された回転可能なリング部材と、このリング部材に設けられたギアに噛合する平歯車と、この平歯車を回転駆動するモータ等を備えており、このモータは可動演出ユニットの外殻をなす支持体の底面に固定されている。モータの回転軸は鉛直方向の上側に突出しており、この回転軸にボス付きの平歯車が挿入されてネジ止めされている。支持体には筒状のガイド壁が設けられており、リング部材はガイド壁の外周面に回転可能に保持されている。ギアはリング部材の下部外周面に設けられており、このギアが平歯車と噛合することにより、モータの回転が平歯車とギアの噛合部分を介してリング部材に伝達されるようになっている。押圧ボタンはガイド壁の内周面に昇降可能に保持されており、この押圧ボタンは復帰ばねによって上方へ付勢されている。
【０００５】
このような可動演出ユニットを備えたパチンコ機では、当たり信頼度の高いスーパーリーチ時などに可変表示装置の表示画面に特定の図柄が表示された際、モータを始動してリング部材を回転動作させることにより、遊技者に対して可動演出ユニットを操作するように促し、この状態で遊技者がリング部材の回転を止めたり押圧ボタンを押圧操作すると、それらの操作と表示画面上での表示演出とが関連付けられるようになっている。したがって、表示画面がハズレ図柄から当たり図柄に切り替わるタイミングで可動演出ユニットの操作を促すようにすれば、遊技者は自らの操作によって当たりを決定したと実感することができ、遊技者を演出に参加させて遊技の興趣性を高めることが可能となる。
【先行技術文献】
【特許文献】
【０００６】
【特許文献１】特開２０１１−１６１０７１号公報
【発明の概要】
【発明が解決しようとする課題】
【０００７】
ところで、可動演出ユニットの部品レイアウトは、設置母材である受皿等のデザインや収納スペース等の影響を受け、リング部材の駆動源であるモータを平歯車の上方位置に配置しなければならない場合がある。その場合、モータの回転軸にネジ止めされた平歯車と周辺部材との間に所定間隔を確保しておけば、平歯車を周辺部材からの摩擦抵抗を受けることなくスムーズに回転させることができるが、遊技に夢中になった遊技者が押圧ボタンを強打するという行為が繰り返されると、平歯車を回転軸に固定しているネジが緩んでしまう虞がある。その結果、平歯車が回転軸に沿って下降して周辺部材に当接するため、平歯車のスムーズな回転が阻害されてしまう虞があり、最悪の場合、平歯車とギアの噛合が外れてリング部材を回転できなくなる。
【０００８】
本発明は、このような従来技術の実情に鑑みてなされたもので、その目的は、遊技者の強打に起因するリング部材の回転不良を防止できる遊技機を提供することにある。
【課題を解決するための手段】
【０００９】
上記の目的を達成するために、本発明は、遊技者によって押圧操作される押圧ボタンと、この押圧ボタンの周囲に配置された回転可能なリング部材と、このリング部材に設けられたギアに噛合するボス付きの平歯車と、この平歯車を回転駆動するモータとを備え、遊技の抽選結果に係る演出内容に応じて前記モータを動作させるようにした遊技機において、前記モータをその回転軸が鉛直方向の下側を向くように支持体に取り付け、この回転軸を前記平歯車の取付孔に嵌挿してスプライン結合すると共に、前記ボスに螺合したネジによって前記平歯車を前記回転軸に固定し、前記支持体に前記平歯車の下面と間隔を存して対向する尖鋭状の突起を設け、前記ネジの緩みによって前記平歯車が前記回転軸に沿って落下したとき、前記平歯車の下面を前記突起に当接させて前記ギアと前記平歯車の噛合状態を維持するようにした。
【００１０】
このように構成された遊技機では、リング部材のギアに噛合するボス付きの平歯車がモータの回転軸にネジを用いて固定されており、このネジが押圧ボタンを強打したときの衝撃等によって緩んでしまうと、平歯車が回転軸に沿って滑り落ちて支持体に設けられた尖鋭状の突起に受け止められるが、当該位置で平歯車は突起と低い摩擦力で接触して位置規制されるため、万一ネジが緩んだとしても平歯車のスムーズな回転が阻害されることを防止できる。
【００１１】
上記の構成において、支持体が、リング部材を回転可能に支持するケース本体と、このケース本体に一体化されて収納空間を画成するカバーとを有し、モータと平歯車が収納空間の内部に収納されていると共に、突起がカバーの内底面に設けられていると、モータからリング部材に至る動力伝達機構を簡単に組み立てることができて好ましい。
【００１２】
この場合において、リング部材が、ケース本体から露出して押圧ボタンを支持する外装リング体と、カバーの内底面に載置されて外周面にギアを有する回転筒体と、これら外装リング体と回転筒体を連結する伝達軸とによって構成されており、伝達軸がケース本体に回転可能かつ上下動可能に支持されていると共に、収納空間の内部で伝達軸の下端部が回転筒体にスプライン結合されていると、押圧ボタンの押圧操作に伴って外装リング体と伝達軸が下方へ移動したとき、伝達軸の軸線方向の移動がスプライン結合で吸収されて回転筒体に伝わらないため、押圧ボタンの押圧操作時にもギアと平歯車との噛合状態を確実に維持することができる。
【００１３】
また、上記の構成において、直線状や円弧状の突起を１つまたは複数点在させても良いが、この突起が回転軸を中心として円環状に形成されていると、ネジの緩みによって落下した平歯車を安定した姿勢に受け止めることができて好ましい。
【発明の効果】
【００１４】
本発明の遊技機は、遊技者によって押圧操作される押圧ボタンと、この押圧ボタンの周囲に配置された回転可能なリング部材と、このリング部材の駆動源であるモータ等を備えると共に、リング部材に設けられたギアに噛合するボス付きの平歯車がモータの回転軸にネジを用いて固定されており、このネジが押圧ボタンを強打したときの衝撃等によって緩むと、平歯車が回転軸に沿って滑り落ちて支持体に設けられた尖鋭状の突起に受け止められるが、当該位置で平歯車は突起と低い摩擦力で接触して位置規制されるため、万一ネジが緩んだとしても平歯車のスムーズな回転が阻害されることを防止できる。
【図面の簡単な説明】
【００１５】
【図１】実施形態例に係るパチンコ機の外観を示す斜視図である。
【図２】図１に示すパチンコ機の前面扉を開放した状態の斜視図である。
【図３】図１に示すパチンコ機の背面図である。
【図４】該パチンコ機に備えられる可動演出ユニットの斜視図である。
【図５】該可動演出ユニットの平面図である。
【図６】図５のＡ−Ａ線に沿う断面図である。
【図７】図５のＢ−Ｂ線に沿う断面図である。
【図８】該可動演出ユニットの分解斜視図である。
【図９】該可動演出ユニットに備えられるカバーの平面図である。
【図１０】図９のＣ−Ｃ線に沿う断面図である。
【図１１】該可動演出ユニットに備えられる平歯車の取付状態を示す説明図である。
【発明を実施するための形態】
【００１６】
発明の実施の形態について図面を参照して説明すると、図１に示すように、本発明の実施形態例に係るパチンコ機（遊技機）は、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１７】
図２に示すように、機枠１の左側枠部には上側軸受け体５と下側軸受け体（図示省略）が固着されており、この下側軸受け体よりも下方の左下隅部には大型のスピーカ６が配設されている。一方、本体枠２の左側枠部の上下両端には第１ピン（図示省略）が設けられており、これら両第１ピンを上側軸受け体５と下側軸受け体に軸支することによって、本体枠２を機枠１に対して開閉自在に支持する第１ヒンジ機構が構成されている。
【００１８】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置５１や可動役物装置、始動入賞口、一般入賞口、アタッカー装置、遊技釘、風車、アウト口等が設けられている。遊技盤７よりも下方の本体枠２は前面扉３によって覆い隠される設置部２ｂとなっており、この設置部２ｂ内の下部中央には遊技球を遊技領域９に向けて発射する発射装置１０が配設されている。
【００１９】
本体枠２の右側枠部は第１ヒンジ機構と反対側の自由端側であり、この右側枠部の裏面にはシリンダ錠１１ａを有する施錠装置１１が設置されている。図示省略されているが、この施錠装置１１は本体枠２の裏面に配置された後部施錠杆と本体枠２の前面に配置された前部施錠杆とを備えており、常態では、施錠装置１１の後部施錠杆によって機枠１に対して本体枠２が施錠されると共に、前部施錠杆によって本体枠２に対して前面扉３が施錠されている。そして、シリンダ錠１１ａの鍵穴に図示せぬ鍵を差し込み、この鍵を一方向（例えば時計回り）へ回動すると、後部施錠杆が下動して本体枠２が開錠されるようになっている。また、シリンダ錠１１ａの鍵穴に差し込んだ鍵を他方向（反時計回り）へ回動すると、前部施錠杆が上動して前面扉３が開錠されるようになっている。
【００２０】
図１に戻り、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。前面扉３には遊技盤７の盤面に対向する大きな開口３ａが開設されており、この開口３ａは透明板４によって塞がれている。前面扉３の前面上部には比較的小型のスピーカ１２が左右に１個ずつ配設されており、これらスピーカ１２と前述した大型のスピーカ６とによって遊技に関する様々な効果音を発するようになっている。また、前面扉３の前面下部には、遊技盤７の裏面に配設された賞球払出装置（後述する）から払い出された遊技球を収容する上段受皿１３と、上段受皿１３から排出された遊技球を収容する下段受皿１４とが設けられており、下段受皿１４の右側方には発射装置１０の発射強度を調整するための操作ハンドル１５が配設されている。さらに、上段受皿１３の中央部前方には後述する可動演出ユニット１６が配設されており、この可動演出ユニット１６の右側方には演出履歴等の各種情報を検索したり入力する十字キーユニット１７が配設されている。
【００２１】
図３に示すように、このパチンコ機の背面側には、遊技に関する主要な処理を行う主制御基板１８と、主制御基板１８からの指令を受けて可変表示装置５１やスピーカ等の各種装置を制御する副制御基板１９と、前述した賞球払出装置２０と、主制御基板１８からの指令を受けて賞球払出装置２０を制御する払出制御基板２１と、操作ハンドル１５の回動量に応じて発射装置１０の作動を制御する発射制御基板２２と、大当たり回数等の各種情報を遊技場のホールコンピュータに出力する外部端子基板２３等が設けられている。主制御基板１７には、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されており、このＣＰＵがＲＯＭに格納された各種プログラムやデータを読み込んで実行することにより、遊技に関する主要な処理が行われる。
【００２２】
図４〜図８に示すように、前述した可動演出ユニット１６は、中央部に上下に貫通する貫通孔を備えるケース本体を形成するよう上下に組合せられる上ケース２４および下ケース２５と、下ケース２５の下面に形成される当該貫通孔の開口を覆うように下方部に位置させてネジ止め固定されたカバー２６と、上ケース２４の上面に形成される当該貫通孔の開口（円形孔２４ａ）から上方へ突出する回転可能な外装リング体２７と、外装リング体２７のリング中央領域に位置するよう支持された押圧ボタン２８と、外装リング体２７を回転可能かつ押圧ボタン２８を押下した際に上下動可能とするよう当該貫通孔に挿入され支持された伝達軸２９と、伝達軸２９の外周部に設けた溝つき軸（Ｄカット）部に対し溝つき孔（Ｄカット）を備える中継体４２を挿入して上下動可能に連結させると共に、当該伝達軸２９の回転に伴って回転可能となる回転筒体３０と、回転筒体３０の外周面に刻設されたギア３０ａと噛合し当該回転筒体３０を回転させる平歯車３１と、カバー２６に取り付けられて平歯車３１を正方向または逆方向に回転駆動するモータ３２等によって主として構成されている。
【００２３】
上ケース２４と下ケース２５とを上下に組合せたケース本体およびカバー２６は積層状態で一体化されており、これら複数の部材によって支持体が構成されている。この支持体は、遊技球を貯留する上段受皿１３の前面側に設けられた取付け用開口（凹所）に挿入して固定させるためのユニット構成部材となる。上ケース２４は、上段受皿１３に支持体が固定された際に外表面に露出して装飾機能を有するようになっているが、下ケース２５とカバー２６は上段受皿１３の凹所内に支持体が収納されて装着された際には外部から見えないようになっている。
【００２４】
上ケース２４の上面には円形孔２４ａが開設されるとともに、外周方向に突出する鍔状のスカート部２４ｂが設けられており、この上ケース２４のスカート部２４ｂを含む外表面には装飾用の樹脂メッキが施されている。下ケース２５には、円形孔２４ａの内周および内周縁下面に対向する環状壁２５ａと、環状壁２５ａの内部を上下に２分するようその環状内壁面から中心部に向かって突出する隔壁２５ｂとが設けられており、隔壁２５ｂの中央部には下方向に向かって上下に延びる筒状部２５ｃが形成されている。
【００２５】
カバー２６は上面を開放した有底形状の樹脂成形品であり、このカバー２６の内底面と下ケース２５の下面との間に収納空間Ｓが画成されている。またカバー２６は、上段受皿１３の凹所内に収納された後に、所定の固定パーツによって凹所内に固定維持させるための取付け用固定部がその外表面側部に設けられている。図９と図１０に示すように、カバー２６には平面視円形孔となる有底筒状の第１凹部２６ａと第２凹部２６ｂが並設されており、第２凹部２６ｂは第１凹部２６ａに比べると小径で深溝に形成され、双方の凹部の上面を高さ方向において略同一にして連続的に囲むようにした平面視略ひょうたん形状のひょうたん皿状部２６ｅがカバー２６の内底面を構成するものとして備えるようにしている。また、カバー２６のひょうたん皿状部２６ｅにおける第２凹部２６ｂ側の上面には円形孔と略同心円となるように包囲する円環状の突起２６ｃが立設されており、この突起２６ｃは上端にアールを付けた尖鋭状に形成されている。さらに、カバー２６のひょうたん皿状部２６ｅにおける第２凹部２６ｂ側の上面外周には、開放端側に向かって立設される周壁の上部に取付面２６ｄが形成されており、後述するように、この取付面２６ｄにモータ３２が組付け可能な係合部が設けられており、その組み付け後にネジ止め固定されるようになっている。ネジ止め固定されたモータ３２の駆動本体部（３２ｂ）は、図６に示すように、上ケース２４のスカート部２４ｂの下面から取付面２６ｄまでの高さ空間αに配置され、スカート部２４ｂの下面とモータ３２の駆動本体部（３２ｂ）の上面は近接するように設けられている。なお、この高さ空間αを設けることによって、後述するスプリング４１、第１光センサ４７、第２光センサ４８や回路基板４４を上下方向に配設可能とする構成となるようにし、ケース本体の高さ方向をコンパクトとなるようにしている。
【００２６】
外装リング体２７は、外表面に装飾用の樹脂メッキが施されると共に、光透過性窓部を備える上部リング３３と、その上部リング３３を組み込み可能とする切り欠き外周部を上側に備えると共に、光透過性樹脂で成形された下部リング３４とからなり、下部リング３４の切り欠き外周部において上部リング３３を上下方向に係合させた後にネジ止めにより一体化されている。上部リング３３の上面には光透過性窓部を備える円環状天板の内側領域となる円形の開口３３ａが穿設されており、この開口３３ａから押圧ボタン２８が外部に露出して遊技者によって押圧可能とさせるようにしている。また、上部リング３３の円環状天板の下面には複数本のボス３３ｂが所定角度ごとの間隔を空けてそれぞれ垂設されており、下部リング３４の内周面には各ボス３３ｂと対向するように上下に延びる複数の受部３４ａが突出形成されている。
【００２７】
外装リング体２７の内側に形成される内部空間には上段円筒体３５と下段円筒体３６が同軸上となるように上下配置されており、これら上段円筒体３５と下段円筒体３６の内側に形成される内部空間には回転板３７が配置されている。上段円筒体３５は表面に樹脂メッキを施した遮光性部材であり、その外周面には所定角度ごとの間隔を空けて複数の凹溝３５ａが上下に延びるようにして形成されており、内周面には所定角度ごとの間隔を空けて複数の環状段部３５ｂと複数の係合突部３５ｃが突出高さを異ならせつつ上下に連続するようにしてそれぞれ突出形成されている。一方、下段円筒体３６に樹脂メッキは施されていないが、その内周面に遮光性機能をも兼ね備える反射リング３８が組み込まれている。この下段円筒体３６の外周面の上部には所定角度ごとの間隔を空けて板片状の複数の位置決め突部３６ａの突出形成されており、内周面の上部には所定角度ごとの間隔を空けて板片状の複数の係合突部３６ｂが突出形成されている。
【００２８】
押圧ボタン２８はその中央部天面が少なくとも光透過性を有する樹脂成形品であり、この押圧ボタン２８の外周には上部リング３３の円環状天板の下面に当接する鍔部２８ａが突出形成されており、鍔部２８ａには所定角度ごとの間隔を空けて複数の切欠部２８ｂが形成されている。上段円筒体３５は押圧ボタン２８の鍔部２８ａと下段円筒体３６との間に介設されており、下段円筒体３６の位置決め突部３６ａは下部リング３４の内周面の下部から突設される受部３４ａに当接している。そして、上部リング３３のボス３３ｂを押圧ボタン２８の切欠部２８ｂと上段円筒体３５の凹溝３５ａに係合させた状態で、上部リング３３と下部リング３４をネジ止め固定することにより、押圧ボタン２８と上段円筒体３５および下段円筒体３６の三者が上部リング３３と下部リング３４との間に挟持・固定されるようになっている。
【００２９】
押圧ボタン２８の中央部天面の真下位置に円盤状の導光板３９が視認可能となるよう配置されており、この導光板３９の上面にはレンズカット加工が施されている。導光板３９の外周面の下部には所定角度ごとの間隔を空けて複数のフック部３９ａが下方へ垂設されるように形成されており、これらフック部３９ａを上段円筒体３５の環状段部３５ｂに係止することにより、導光板３９は上段円筒体３５に固定されている。
【００３０】
回転板３７は光透過性樹脂からなる円盤状の成形品であって、その外周面には所定角度ごとの間隔を空けて複数の係合凹部３７ａが上下に延びるように形成されており、これら複数の係合凹部３７ａに上段円筒体３５の複数の係合突部３５ｃと下段円筒体３６の複数の係合突部３６ｂがそれぞれ対応して挿入されている。また、回転板３７の中心には溝つき孔におけるＤカット面を有する軸孔３７ｂが設けられており、この軸孔３７ｂに同じく溝つき軸部におけるＤカット面を有する伝達軸２９の上端部が挿入されている。これにより伝達軸２９の回転が回転板３７に伝達されると共に、回転板３７の回転が上段円筒体３５と下段円筒体３６を介して外装リング体２７や押圧ボタン２８に伝達され、それらが連動して回転するようになっている。
【００３１】
回転板３７と下ケース２５の間には検知体４０が介設されており、この検知体４０は下ケース２５の筒状部２５ｃに巻回されたスプリング４１の弾発力によって上方へ付勢されている。検知体４０の外周面には遮光板４０ａが上下に延びるように突出形成されており、この遮光板４０ａは後述する第１光センサ４７の光路に対して出入可能となっている。
【００３２】
伝達軸２９は一対の軸受５０を介して下ケース２５の筒状部２５ｃに支持されており、前述したように、伝達軸２９の上端部は回転板３７の軸孔３７ｂに挿入されている。また、伝達軸２９の下端部は下ケース２５の筒状部２５ｃを挿通して収納空間Ｓの内部に突出しており、この伝達軸２９の下端部には中継体４２が連結されている。中継体４２の中心には溝つき穴におけるＤカット面を有する軸孔４２ａが設けられており、この軸孔４２ａに同じく溝つき軸部におけるＤカット面を有する伝達軸２９の下端部が挿入されている。なお、伝達軸２９の上下両端にそれぞれＥリング４３が取付られているため、これらＥリング４３によって回転板３７と中継体４２は伝達軸２９から脱落しないようになっている。
【００３３】
中継体４２の外周面には三叉形状の係合片４２ｂが１２０度の角度ごとにそれぞれ３方向の放射状に突出するように形成されており、これら係合片４２ｂは回転筒体３０に設けられた三叉形状の係合溝３０ｂに上下動可能に挿入されている。すなわち、伝達軸２９と回転筒体３０は中継体４２を介してスプライン結合されており、回転筒体３０の回転運動は中継体４２を介して伝達軸２９が回転するように伝達されるが、伝達軸２９の軸線方向の直線運動は中継体４２の係合片４２ｂが係合溝３０ｂ内を上下動することで吸収され、伝達軸２９が上下動しても回転筒体３０は上下動しないよう位置決め支持されている。
【００３４】
回転筒体３０の底面には、第１凹部２６ａ側の円形孔の径よりも一回り大きく、かつ略同心円となるように包囲する円環状の突起３０ｄが垂設されており、この突起３０ｄは下端にアールを付けた尖鋭状に形成されている。そして回転筒体３０は、カバー２６のひょうたん皿状部２６ｅにおける第１凹部２６ａ側の上面を摺動面とし、当該第１凹部２６ａ側の円形孔の周囲となる上面に回転可能に載置されており、前述したように、回転筒体３０の下部外周面にギア３０ａが刻設され、そのギア３０ａがひょうたん皿状部２６ｅにおける第２凹部２６ｂ側の周囲に露呈しつつ回転するようにしている。また、回転筒体３０の上端部に切欠部３０ｃが形成されており、この上端部は後述する第２光センサ４８の光路内に挿入されている。したがって、回転筒体３０の回転に伴って第２光センサ４８から切欠部３０ｃの有無に応じた信号が出力され、その出力信号に基づいて回転筒体３０の回転状態または回転位置の情報を検出できるようになっている。なお、回転筒体３０から中継体４２、伝達軸２９、回転板３７等を介して外装リング体２７（上部リング３３と下部リング３４）に至る各部材によって押圧可能な押圧ボタン２８の周囲に配置された回転可能なリング部材が構成されている。
【００３５】
下ケース２５の隔壁２５ｂの下面に回路基板４４を載置して取り付けられており、伝達軸２９が回転または上下動した場合でも、その動力が回路基板４４へ伝達されないようにしている。この回路基板４４の上面に２種類のＬＥＤ４５，４６が円環状に配置される内側領域とその内側領域よりも径の大きい円環状となるように配置される外側領域にそれぞれ区分け配列されて実装されている。なお、隔壁２５ｂには、２種類のＬＥＤ４５，４６の配置に対応して開口が設けられ、光透過を許容させるようにしている。回路基板４４の内側領域に実装された円環状配列の各ＬＥＤ４５の光は回転板３７と導光板３９を透過して押圧ボタン２８の中央部天面をメインにして照射される。また、回路基板４４の外側領域に実装された円環状配列の各ＬＥＤ４６の光は外装リング体２７の円環状天板をメインとするように下段円筒体３６の下面に照射される。その照射の際、上段円筒体３５の表面に遮光用の樹脂メッキが施されていると共に、下段円筒体３６の内周面に反射リング３８が組み込まれているため、押圧ボタン２８の中央部天面から出射されるＬＥＤ４５の光と下段円筒体３６の下面から外装リング体２７の円環状天板へと出射されるＬＥＤ４６の光が干渉しないようになっている。回路基板４４の上面には第１光センサ４７が実装されており、図７に示すように、第１光センサ４７は隔壁２５ｂを貫通して検知体４０の遮光板４０ａと対向している。また、回路基板４４の下面には第２光センサ４８が実装され、図６に示すように、この第２光センサ４８の光路内に回転筒体３０の上端部が挿入されている。
【００３６】
平歯車３１は一方の平面中央部側から外方に向かって突出する円筒状のボス３１ａを有する公知のボス付き歯車である。そのボス３１ａの外周の大きさは第２凹部２６ｂの内周よりも一回り小さく、その外周全体が第２凹部２６ｂ内に収納可能される大きさとなっている。そのボス３１ａの内側空間となる溝つき孔として、Ｄカット面を有する取付孔３１ｂが上下に延びるように設けられていると共に、ボス３１ａの周面に取付孔３１ｂに達するネジ孔３１ｃがＤカット面の延びる方向と交差する方向で貫通するように穿設されている。モータ３２の回転軸３２ａには取付孔３１ｂへ挿通可能とするＤカット面が施されており、この回転軸３２ａを取付孔３１ｂ挿入してスプライン結合した後、ネジ孔３１ｃにイモネジ４９を螺入して回転軸３２ａに圧接させることにより、平歯車３１がモータ３２の回転軸３２ａに固定されるようになっている。
【００３７】
モータ３２は駆動本体部（３２ｂ）から突出する回転軸３２ａを鉛直方向の下側に向けた姿勢でカバー２６の取付面２６ｄにネジ止め固定されており、平歯車３１はボス３１ａを第２凹部２６ｂ内に挿入した状態で回転軸３２ａに固定されている。また、前述したようにカバー２６のひょうたん皿状部２６ｅにおける第１凹部２６ａ側の上面には回転筒体３０が回転可能に搭載されており、この回転筒体３０のギア３０ａに平歯車３１の歯部３１ｄが回転筒体３０のギア３０ａに噛合しているため、モータ３２の回転が平歯車３１を介して回転筒体３０に伝達される。ここで、図１１（ａ）に示すように、平歯車３１はカバー２６のひょうたん皿状部２６ｅにおける第２凹部２６ｂ側の上面および突起２６ｃの上端部（尖鋭状のアール）に接触しておらず、カバー２６の内底面に設けられた突起２６ｃと平歯車３１の下面との間に所定の間隔Ｇが確保されている。この間隔Ｇはギア３０ａと歯部３１ｄの噛み合い代に応じて適宜の値に設定されるが、間隔Ｇの存在によって平歯車３１がカバー２６と非接触状態に維持されるため、平歯車３１はカバー２６との接触に基づく摩擦抵抗を受けることなくスムーズに回転可能となっている。
【００３８】
このように構成されたパチンコ機において、始動入賞などの所定契機に応じて抽選される結果に基づいて実行される所定演出（スーパーリーチ）時などに遊技盤７に配設された可変表示装置５１の表示画面に抽選結果を報知するための特定の図柄が変動表示された際、その変動表示の終了前の所定タイミングで可動演出ユニット１６のモータ３２に通電して回転動作させると、モータ３２の回転が平歯車３１を介して回転筒体３０に伝達されると共に、回転筒体３０の回転が中継体４２から伝達軸２９や回転板３７等を介して外装リング体２７に伝達されるため、上ケース２４から突出する外装リング体２７が押圧ボタン２８と一緒に回転動作される。このとき、演出の一態様として回路基板４４上の各ＬＥＤ４５，４６に通電して点灯状態にすると、押圧ボタン２８からＬＥＤ４５の光が出射されると共に、下段円筒体３６からも別のＬＥＤ４６光が出射されるため、これら出射光と前述した回転動作によって遊技者に対し可動演出ユニット１を操作するように促す、または抽選結果に対する信頼度報知を行うことができる。
【００３９】
この状態で遊技者が押圧ボタン２８を押圧操作すると、リング部材の構成部材である外装リング体２７や回転板３７等も押圧ボタン２８と一緒に下方へ押し込まれるため、回転板３７の真下に配置された検知体４０がスプリング４１の弾発力に抗して下方へ移動する。その結果、検知体４０の遮光板４０ａが第１光センサ４７の光路内に進入し、第１光センサ４７から検知信号が出力されるため、この出力信号に基づいて抽選結果を図柄変動終了時に報知する前の予告報知の演出を開始させたり、演出図柄を停止させたり可動役物装置を動作させる等、押圧ボタン２８に対する押圧操作と表示画面上での表示演出とを関連付けることができる。
【００４０】
上記したような遊技者による押圧ボタン２８の押圧操作が経年的に繰り返され、特に、遊技に夢中になった遊技者が押圧ボタン２８を強打するという行為が繰り返し行われると、可動演出ユニット１に作用する大きな衝撃力によって平歯車３１のネジ孔３１ｃに螺入されたイモネジ４９が緩んでしまうことがある。その結果、平歯車３１はモータ３２の回転軸３２ａに沿って滑り落ちるが、図１１（ｂ）に示すように、間隔Ｇがゼロになった時点で、平歯車３１の下面がカバー２６の内底面に設けられた尖鋭状の突起２６ｃに受け止められるため、回転筒体３０のギア３０ａと平歯車３１の歯部３１ｄとの噛合状態は維持される。したがって、この状態でモータ３２が回転動作されると、平歯車３１は突起２６ｃと低い摩擦力で接触しながら回転し、イモネジ４９が緩む前と同じように、回転筒体３０との噛合状態を維持したまま平歯車３１をスムーズに回転させることができる。
【００４１】
以上説明したように、本実施形態例に係るパチンコ機（遊技機）は、上段受皿１３に配設された可動演出ユニット１６が、遊技者によって押圧操作される押圧ボタン２８と、この押圧ボタン２８の周囲に配置された回転可能な外装リング体２７（上部リング３３と下部リング３４）と、外装リング体２７と一体的に回転する回転筒体３０と、外装リング体２７の駆動源であるモータ３２等を備えており、回転筒体３０のギア３０ａと噛合するボス付きの平歯車３１をモータ３２の回転軸３２ａにイモネジ４９を用いて固定すると共に、支持体であるカバー２６の内底面に平歯車３１の下面と間隔Ｇを存して対向する尖鋭状の突起２６ｃを設けてある。このような構成を採用することにより、イモネジ４９が押圧ボタン２８を強打したときの衝撃等によって緩んだとしても、回転軸３２ａに沿って落下する平歯車３１の下面が突起２６ｃで受け止められるため、突起２６ｃと低い摩擦力で接触させながら平歯車３１をスムーズに回転させることができ、回転筒体３０と平歯車３１の噛合状態を長期に亘って安定的に維持することができる。
【００４２】
また、本実施形態例では、外装リング体２７を回転可能に支持するケース本体（上ケース２４と下ケース２５）と、このケース本体に収納空間Ｓを介して一体化されたカバー２６とによって支持体が構成され、平歯車３１とモータ３２を収納空間Ｓの内部に収納すると共に、突起２６ｃがカバー２６の内底面に設けられているため、予めカバー２６に平歯車３１とモータ３２を組み込んだ後、このカバー２６をケース本体の下ケース２５に固定することが可能となり、モータ３２から外装リング体２７に至る動力伝達機構を簡単に組み立てることができる。
【００４３】
ただし、支持体は必ずしも上ケース２４と下ケース２５およびカバー２６の３部材で構成されなくても良く、例えば、上ケース２４と下ケース２５を一体成形品としたり、上記の３部材よりも多くの部材で支持体を構成することも可能である。また、モータ３２は回転軸３２ａを鉛直方向の下側に向けた姿勢であれば支持体のいずれの部位に取り付けることが可能であり、例えば、モータ３２をカバー２６の替わりに下ケース２５の下面に取り付けるようにしても良い。
【００４４】
また、本実施形態例では、上ケース２４から突出して押圧ボタン２８を支持する外装リング体２７（上部リング３３と下部リング３４）と、カバー２６の内底面に回転可能に載置されて外周面にギア３０ａを有する回転筒体３０と、外装リング体２７と回転筒体３０を連結する伝達軸２９等によってリング部材が構成されており、この伝達軸２９が下ケース２５に回転可能かつ上下動可能に支持されていると共に、収納空間Ｓの内部で伝達軸２９の下端部が回転筒体３０にスプライン結合されているため、押圧ボタン２８の押圧操作に伴って外装リング体２７や伝達軸２９が下方へ移動したとき、伝達軸２９の軸線方向の移動がスプライン結合によって吸収されて回転筒体３０に伝わらず、押圧ボタン２８の押圧操作時にも回転筒体３０と平歯車３１の噛合状態を確実に維持することができる。よって、押圧ボタン２８が連続的に複数回押圧操作される、または興奮して強打されること等に基づいて衝撃エネルギーが連続的に多発、または比較的に強い衝撃エネルギーが発生しても平歯車３１に伝達されにくくしたため、当該平歯車３１がイモネジ４９の緩みによって落下すること自体を抑制する効果を図ることができる。また、上面に２種類のＬＥＤ４５，４６が設けられる回路基板４４は、伝達軸２９が回転または上下動した場合でも、その動力が伝達されないようにしているため、イモネジ４９の緩みによって落下した平歯車３１が回転する場合であっても、リング部材を回転させる際の負荷が少なくなるようにしている。
【００４５】
しかも、伝達軸２９の下端部に中継体４２を取り付け、この中継体４２に設けた係合片４２ｂを回転筒体３０に設けた係合溝３０ｂに上下動可能に挿入することにより、伝達軸２９と回転筒体３０が中継体４２を介してスプライン結合されるようになっているため、ギア３０ａを有する回転筒体３０を容易に成形することができる。
【００４６】
また、本実施形態例では、カバー２６の内底面にモータ３２の回転軸３２ａに沿って延びる第２凹部２６ｂを形成し、この第２凹部２６ｂの上端部に円環状の突起２６ｃが立設されているため、イモネジ４９の緩みによって落下した平歯車３１をギア３０ａとの噛合状態（回転エネルギーを伝達させるため）に好適な安定した姿勢に受け止めることができる。なお、平歯車３１が落下したときにおいても、噛合状態が維持された平歯車３１によって回転筒体３０を回転させた際に、ギア３０ａまたは平歯車３１が刃こぼれしない程度の噛み合いが維持されるように、その平歯車３１が落下可能な距離を規定するようにしている。本実施形態例では、図１１に示すように、ギア３０ａの高さβに対して半分以下の距離（間隔Ｇ）しか平歯車３１が落下できないように、ひょうたん皿状部２６ｅにおける第２凹部２６ｂ側の上面に対し円環状の突起２６ｃの突出高さが設定されている。また、突起２６ｃの突出態様は必ずしも円環状でなくても良く、例えば、カバー２６の内底面に直線状や円弧状の突起を１つまたは複数点在させることも可能であり、要は、平歯車３１の下面と間隔Ｇを存して対向する支持体（カバー２６）に設けられていれば良い。また、突起２６ｃの円環状における直径の大きさを互いに変えて、同心円状に多重にして立設させるように設けたり、渦巻き状に突起２６ｃを立設させるようにし、落下時の平歯車３１とギア３０ａとの噛合によって回転させる際において好適な姿勢となるように設計しても良い。
【００４７】
なお、上記実施形態例では、Ｄカット面を施した回転軸３２ａをＤカット面を有する取付孔３１ｂに嵌挿することにより、モータ３２の回転軸３２ａと平歯車３１の取付孔３１ｂとをスプライン結合するようにしているが、平歯車３１とモータ３２とは回転軸３２ａの軸線方向に移動可能で回転方向に動力伝達されるようになっていれば良く、例えば、Ｄカット面の替わりにダブルＤカット面やセレーションを用いたスプライン結合を採用することも可能である。
【００４８】
また、上記実施形態例では、可動演出ユニット１６を上段受皿１３に設けた場合について説明したが、遊技者がボタン操作可能な遊技機の他の筺体構成部分に展開して設けることも可能である。
【００４９】
また、上記実施形態例では、本発明による可動演出ユニット１６をパチンコ機に適用した場合について説明したが、スロットマシン等の他の遊技機に適用することも可能である。
【符号の説明】
【００５０】
１３  上段受皿
１６  可動演出ユニット
２４  上ケース
２５  下ケース
２５ａ  環状壁
２５ｂ  隔壁
２５ｃ  筒状部
２６  カバー
２６ａ  第１凹部
２６ｂ  第２凹部
２６ｃ  突起
２６ｄ  取付面
２７  外装リング体
２８  押圧ボタン
２９  伝達軸
３０  回転筒体
３０ａ  ギア
３０ｂ  係合溝
３０ｃ  切欠部
３１  平歯車
３１ａ  ボス
３１ｂ  取付孔
３１ｃ  ネジ孔
３１ｄ  歯部
３２  モータ
３２ａ  回転軸
３３  上部リング
３４  下部リング
３５  上段円筒体
３６  下段円筒体
３７  回転板
３７ｂ  軸孔
３８  反射リング
３９  導光板
４０  検知体
４０ａ  遮光板
４１  スプリング
４２  中継体
４２ａ  軸孔
４２ｂ  係合片
４４  回路基板
４５，４６  ＬＥＤ
４７  第１光センサ
４８  第２光センサ
４９  イモネジ（ネジ）
Ｇ  間隔
Ｓ  収納空間
【図１】
2014171728.tif 000003
【図２】
2014171728.tif 000004
【図３】
2014171728.tif 000005
【図４】
2014171728.tif 000006
【図５】
2014171728.tif 000007
【図６】
2014171728.tif 000008
【図７】
2014171728.tif 000009
【図８】
2014171728.tif 000010
【図９】
2014171728.tif 000011
【図１０】
2014171728.tif 000012
【図１１】
2014171728.tif 000013